【手続補正書】
【提出日】平成23年8月2日(2011.8.2)
【手続補正１】
【補正対象書類名】特許請求の範囲
【補正対象項目名】全文
【補正方法】変更
【補正の内容】
【特許請求の範囲】
【請求項１】
外部コントローラからの複数の許可信号の受信に応じてレーザーダイオードを駆動させるためのハイブリッドレーザーダイオードドライバ（ＬＤＤ）であって、
読み出し電流を出力する読み出しチャネルと、
それぞれが異なる書き込み電流を選択的に出力する複数の書き込みチャネルと、
オシレータ電流を選択的に出力するオシレータチャネルと、
外部コントローラから前記複数の許可信号を受信し、前記許可信号に基づいて、少なくとも前記書き込みチャネルにより出力される前記電流のタイミングを制御するプログラマブルＬＤＤコントローラと、
を含み、
前記プログラマブルＬＤＤコントローラは、
前記複数の許可信号を受信し、それに応じて複数のデコーダ出力ラインの１つをアクティブにするデコーダと、
１つ以上のアクティブな前記デコーダ出力ラインに応じた出力の生成をそれぞれがプログラムすることができる複数の出力コントローラと、
を含む、
ハイブリッドＬＤＤ。
【請求項２】
前記プログラマブルＬＤＤコントローラは、前記許可信号に基づいて、前記オシレータチャネルにより出力される前記電流のタイミングも制御する、
請求項１に記載のハイブリッドＬＤＤ。
【請求項３】
前記複数の出力コントローラは、少なくとも書き込み出力コントローラおよびオシレータコントローラを含む、
請求項１に記載のハイブリッドＬＤＤ。
【請求項４】
前記書き込みチャネルのそれぞれは、前記外部コントローラから、前記書き込みチャネルにより生成される信号の振幅を制御するために用いられる書き込みレベル信号を受信する、
請求項１に記載のハイブリッドＬＤＤ。
【請求項５】
前記プログラマブルＬＤＤコントローラは、それぞれの書き込みチャネルのためのプログラマブルプログラマブルレジスタを含み、
それぞれの書き込みチャネルのための前記プログラマブルプログラマブルレジスタは、どの２つ以上のアクティブなデコーダ出力ラインが前記書き込みチャネルを許可するかを指定する、
請求項１に記載のハイブリッドＬＤＤ。
【請求項６】
前記プログラマブルＬＤＤコントローラは、前記オシレータチャネルのためのプログラマブルレジスタを含み、
前記オシレータチャネルのための前記プログラマブルレジスタは、どの２つ以上のアクティブなデコーダ出力ラインが前記オシレータチャネルを許可するかを指定する、
請求項５に記載のハイブリッドＬＤＤ。
【請求項７】
前記読み出しチャネルは、前記読み出し電流を選択的に出力し、
前記プログラマブルＬＤＤコントローラは、前記読み出しチャネルのためのプログラマブルレジスタを含み、
前記読み出しチャネルのための前記プログラマブルレジスタは、どの２つ以上のアクティブなデコーダ出力ラインが前記読み出しチャネルを許可するかを指定する、
請求項５に記載のハイブリッドＬＤＤ。
【請求項８】
それぞれの書き込みチャネルは、前記プログラマブルＬＤＤコントローラの前記デコーダにより制御されるスイッチを含み、
前記書き込みチャネルの前記タイミングは、前記許可信号に基づいて、前記スイッチを制御することにより制御される、
請求項１に記載のハイブリッドＬＤＤ。
【請求項９】
前記ＬＤＤコントローラにより、前記外部コントローラから受信される前記許可信号は、ただ１つが一度に変化するようにグレイコード化された複数の書き込み許可信号を含む、
請求項１に記載のハイブリッドＬＤＤ。
【請求項１０】
間に状態を変化させる他の１つの前記書き込み許可信号なしに、状態を２度変化させる前記書き込み許可信号はない、
請求項９に記載のハイブリッドＬＤＤ。
【請求項１１】
前記ＬＤＤコントローラは、前記許可信号に基づいて、前記書き込みチャネル、および前記オシレータチャネルにより出力される前記電流のタイミングを制御する、
請求項９に記載のハイブリッドＬＤＤ。
【請求項１２】
前記ハイブリッドＬＤＤは前記レーザーダイオードと同じ光ピックアップユニット（ＯＰＵ）上に設置されるように構成され、前記ＯＰＵはフレックスケーブルによって前記外部コントローラに接続され、前記外部コントローラはメイン基板上にある、
請求項１に記載のハイブリッドＬＤＤ。
【請求項１３】
読み出し電流を出力する読み出しチャネル、それぞれが異なる書き込み電流を選択的に出力する複数の書き込みチャネル、およびオシレータ電流を選択的に出力するオシレータチャネルを含むレーザーダイオードドライバ（ＬＤＤ）とともに使用するためのレーザーダイオードを駆動させる方法であって、
外部コントローラから複数の許可信号を受信し、前記許可信号は、ただ１つが一度に変化するようにグレイコード化された複数の書き込み許可信号を含み、
前記複数の許可信号をデコードし、それに応じて、少なくとも前記書き込みチャネルによって出力される前記電流のタイミングを制御する、
ことを含む方法。
【請求項１４】
前記デコードするステップは、前記オシレータチャネルによって出力される前記電流のタイミングの制御をさらに含む、
請求項１３に記載の方法。
【請求項１５】
各々の書き込みチャネルはスイッチを含み、
前記書き込みチャネルの前記タイミングの前記制御は、前記許可信号のデコーディングの結果に基づいた、前記スイッチの制御を含む、
請求項１３に記載の方法。
【請求項１６】
間に状態を変化させる他の１つの前記書き込み許可信号なしに、状態を２度変化させる前記書き込み許可信号はない、
請求項１３に記載の方法。
【請求項１７】
前記デコードおよび制御するステップは、前記許可信号に基づいた、前記書き込みチャネル、および前記オシレータチャネルによって出力される前記電流のタイミングの制御を含む、
請求項１３に記載の方法。
【請求項１８】
前記ＬＤＤは、レーザーダイオードと同じ光ピックアップユニット（ＯＰＵ）上に設置されるように構成され、
前記受信するステップは、前記ＯＰＵを前記外部コントローラに接続するフレックスケーブルを介した、前記外部コントローラからの、前記複数の許可信号の受信を含み、前記外部コントローラはメイン基板上にある、
請求項１３に記載の方法。
【請求項１９】
読み出し電流を出力する読み出しチャネル、それぞれが異なる書き込み電流を選択的に出力する複数の書き込みチャネル、およびオシレータ電流を選択的に出力するオシレータチャネルを含むレーザーダイオードドライバ（ＬＤＤ）とともに使用するためのレーザーダイオードを駆動させる方法であって、
複数のグレイコード化された書き込み許可信号を含む複数の許可信号をコントローラから受信し、間に状態を変化させる他の１つの前記書き込み許可信号なしに状態を２度変化させる前記書き込み許可信号はなく、
前記複数の許可信号をデコードし、それに応じて、少なくとも前記書き込みチャネルによって出力される前記電流のタイミングを制御する、
ことを含む方法。
【請求項２０】
前記デコードおよび制御するステップは、前記オシレータチャネルによって出力される前記電流のタイミングの制御をさらに含む、
請求項１９に記載の方法。
【請求項２１】
外部コントローラからの複数の許可信号の受信に応じてレーザーダイオードを駆動させるためのハイブリッドレーザーダイオードドライバ（ＬＤＤ）であって、
読み出し電流を選択的に出力する読み出しチャネルと、
書き込み電流を選択的に出力する書き込みチャネルと、
外部コントローラから前記複数の許可信号を受信し、前記許可信号に基づいて、前記読み出しチャネルおよび前記書き込みチャネルにより出力される前記電流のタイミングを制御するプログラマブルＬＤＤコントローラと、
を含み、
前記プログラマブルＬＤＤコントローラは、
前記複数の許可信号を受信し、それに応じて複数のデコーダ出力ラインの１つをアクティブにするデコーダと、
１つ以上のアクティブな前記デコーダ出力ラインに応じた出力の生成をそれぞれがプログラムすることができる複数の出力コントローラと、
を含む、
ハイブリッドＬＤＤ。
【請求項２２】
前記読み出しチャネルは、前記読み出し電流を選択的に出力し、
前記プログラマブルＬＤＤコントローラは、前記許可信号に基づいて、前記読み出しチャネルによって出力される前記電流のタイミングも制御する、
請求項１に記載のハイブリッドＬＤＤ。
【請求項２３】
前記外部コントローラから受信された前記許可信号は、前記読み出しチャネルにより出力される前記電流のタイミングを制御する前記プログラマブルＬＤＤコントローラにより用いられる、読み出し許可信号と読み出し書き込みモード信号の少なくとも一方も含む、
請求項２２に記載のハイブリッドＬＤＤ。
【請求項２４】
前記ＬＤＤの前記読み出しチャネルは、前記読み出し電流を選択的に出力し、
前記デコードおよび制御するステップは、前記読み出しチャネルによって出力される前記電流のタイミングの制御を含む、
請求項１３に記載の方法。
【請求項２５】
前記外部コントローラから受信された前記許可信号は、前記読み出しチャネルにより出力される前記電流のタイミングを制御するために用いられる、読み出し許可信号と読み出し書き込みモード信号の少なくとも一方も含む、
請求項２４に記載の方法。
【請求項２６】
前記ＬＤＤの前記読み出しチャネルは、前記読み出し電流を選択的に出力し、
前記デコードおよび制御するステップは、前記読み出しチャネルによって出力される前記電流のタイミングの制御を含む、
請求項１９に記載の方法。
【請求項２７】
前記外部コントローラから受信された前記許可信号は、前記読み出しチャネルにより出力される前記電流のタイミングを制御するために用いられる、読み出し許可信号と読み出し書き込みモード信号の少なくとも一方も含む、
請求項２６に記載の方法。